(57)【要約】【課題】ボウル内面にカビや汚れが発生することが抑制され、清浄性を長期間維持することができる水洗便器を提供すること。【解決手段】オゾン水生成装置２によって生成されたオゾン水をボウル３内に供給可能な水洗便器１であって、前記ボウル３内に貯水されたオゾン水を流動させる流動手段４を備える水洗便器１とする。【選択図】図１
2015094110.tif 000002
【特許請求の範囲】
【請求項１】
オゾン水生成装置によって生成されたオゾン水をボウル内に供給可能な水洗便器であって、前記ボウル内に貯水されたオゾン水を流動させる流動手段を備えることを特徴とする水洗便器。
【請求項２】
前記流動手段は、前記ボウル内に貯水されたオゾン水を撹拌する撹拌羽根を備えることを特徴とする請求項１に記載の水洗便器。
【請求項３】
前記流動手段は、前記ボウルに振動を与える振動部を備えることを特徴とする請求項１に記載の水洗便器。
【請求項４】
前記流動手段は、前記ボウル内に貯水されたオゾン水の抜出しと再供給を可能とする循環流路を備えることを特徴とする請求項１に記載の水洗便器。
【請求項５】
さらに、ボウル内におけるオゾン水の貯水経過時間に応じて前記流動手段を作動させる制御が可能な流動制御機構を備えることを特徴とする請求項１から４のいずれか一項に記載の水洗便器。
【発明の詳細な説明】
【技術分野】
【０００１】
本発明は、水洗便器に関する。
【背景技術】
【０００２】
従来より、オゾン水生成装置を備えた水洗便器が知られている（例えば特許文献１）。このような水洗便器では、オゾン水生成装置で生成されたオゾン水をボウルに供給することで、ボウル内面の清浄性を向上させている。
【先行技術文献】
【特許文献】
【０００３】
【特許文献１】特開2004−92278号公報
【発明の概要】
【発明が解決しようとする課題】
【０００４】
しかしながら、従来の水洗便器では、供給されたオゾン水をボウル内に貯水させた場合でも、長期間の使用によってボウル内面にカビや汚れが発生することが不可避であった。
【０００５】
本発明は、以上のとおりの事情に鑑みてなされたものであり、ボウル内面にカビや汚れが発生することが抑制され、清浄性を長期間維持することができる水洗便器を提供することを課題としている。
【課題を解決するための手段】
【０００６】
上記の課題を解決するために、本発明の水洗便器は、オゾン水生成装置によって生成されたオゾン水をボウル内に供給可能な水洗便器であって、前記ボウル内に貯水されたオゾン水を流動させる流動手段を備えることを特徴としている。
【０００７】
この水洗便器では、前記流動手段は、前記ボウル内に貯水されたオゾン水を撹拌する撹拌羽根を備えることが好ましい。
【０００８】
この水洗便器では、前記流動手段は、前記ボウルに振動を与える振動部を備えることが好ましい。
【０００９】
この水洗便器では、前記流動手段は、前記ボウル内に貯水されたオゾン水の抜出しと再供給を可能とする循環流路を備えることが好ましい。
【００１０】
この水洗便器では、さらに、ボウル内におけるオゾン水の貯水経過時間に応じて前記流動手段を作動させる制御が可能な流動制御機構を備えることが好ましい。
【発明の効果】
【００１１】
本発明の水洗便器によれば、ボウル内面にカビや汚れが発生することが抑制され、清浄性を長期間維持することができる
【図面の簡単な説明】
【００１２】
【図１】本発明の水洗便器の第１実施形態を例示した縦断面概要図である。
【図２】本発明の水洗便器の第２実施形態を例示した縦断面概要図である。
【図３】本発明の水洗便器の第３実施形態を例示した縦断面概要図である。
【図４】本発明の水洗便器の第４実施形態を例示した縦断面概要図である。
【図５】本発明の水洗便器の第５実施形態を例示した縦断面概要図である。
【発明を実施するための形態】
【００１３】
本発明者は、ボウル内に貯水されたオゾン水を長時間放置すると、その殺菌効果は次第に減衰し、ボウル内面にカビや汚れが発生する原因になることを見出した。そして、このようなオゾン水の殺菌効果の減衰を抑制してボウル内面の清浄性を長期間維持するためには、ボウル内に貯水されたオゾン水を撹拌するなどして流動させることが有効であるとの新しい知見を得て、本発明を完成させるに至った。
【００１４】
以下、本発明のオゾン水生成装置の実施形態について詳しく説明する。
【００１５】
図１は、本発明の水洗便器の第１実施形態を例示した縦断面概要図である。図１では、便座や便座カバーなどの図示は省略している。
【００１６】
水洗便器１は、オゾン水生成装置２によって生成されたオゾン水をボウル３内に供給することができる。
【００１７】
ボウル３の材料は、例えば、陶器、樹脂などを例示することができる。ボウル３は、開口部３aから後方に向かって屈曲して延びるトラップ３bを有してボウル３内にボウル洗浄水（通常の水）やオゾン水を貯水することができる。
【００１８】
オゾン水生成装置２は、電解槽２１内にオゾン発生器（図示していない）を備えており、水洗便器１の後方側に配設されている。オゾン発生器の具体的な構成は特に限定されないが、例えば、陽極と陰極との間にイオン交換膜が挟持された構造を有し、供給された水を電気分解してオゾンガスを生成する電解方式のものを適宜採用することができる。このようなイオン交換膜としては、耐オゾン性を有する公知の材料を適宜採用することができるが、具体的には、例えば、ポリテトラフルオロエチレンなどを基体としたものを例示することができる。また、陽極および陰極は、オゾン水の生成に適した適宜な材料を組み合わせて使用することができる。具体的には、陽極の材料としては、ダイヤモンド、金、白金などを例示することができ、陰極の材料としては、ダイヤモンド、ステンレス、金、銀、白金、チタンなどを例示することができる。なかでもダイヤモンド電極は、電気分解によって発生する水素と酸素の発生を抑制することができ、オゾン水を効率よく生成できるため特に好ましい。また、オゾン水生成装置２は、生成されたオゾン水を電解槽２１内に貯水することができる。
【００１９】
オゾン水生成装置２は、供給路２２を介してボウル３と連通しており、生成されたオゾン水をボウル３内に供給することができる。また、水洗便器１には、オゾン水生成装置２からボウル３へのオゾン水の供給開始と供給停止とを制御可能な制御部（図示していない）を配設することが好ましい。これによって、ボウル３内へのオゾン水の供給のタイミングを確実に制御することができる。オゾン水生成装置２から供給されたオゾン水はボウル３内に貯水される。
【００２０】
さらに、水洗便器１は、ボウル３内に貯水されたオゾン水を流動させる流動手段４としての撹拌羽根４１を備えている。撹拌羽根４１の具体的な形態は特に限定されず、例えば、ボウル３内のオゾン水に浸漬された状態で回転させることでボウル３内のオゾン水を撹拌して流動させることができるものを例示することができる。また、撹拌羽根４１による撹拌時間や回転速度なども適宜設計することができる。
【００２１】
また、ボウル３内のオゾン水を撹拌羽根４１によって流動させるタイミングや流動時間なども適宜設計することができる。具体的には、水洗便器１は、オゾン水を撹拌するタイミング（オゾン水を流動させるタイミング）、撹拌時間を制御する流動制御機構（図示していない）を備えていることが好ましい。例えば、流動制御機構は、ボウル３内におけるオゾン水の貯水経過時間に応じて撹拌羽根４１の動作を制御可能であることが好ましい。具体的には、流動制御機構は、例えば、ボウル３内にオゾン濃度が比較的高いオゾン水が貯水されてから30分〜1時間経過する間に連続または間欠的に撹拌羽根４１を作動させて、オゾン水が流動するように設定することができる。
【００２２】
水洗便器１は、オゾン水を流動させる流動手段４としての撹拌羽根４１を備えているため、ボウル３内に貯水されたオゾン水を撹拌して流動させることができる。このため、オゾン水の殺菌効果の減衰が抑制され、カビや汚れが発生し難く、ボウル３内面の清浄性を長期間維持することができる。
【００２３】
図２は、本発明の水洗便器の第２実施形態を例示した縦断面概要図である。第１実施形態と共通する部分には同一の符号を付し、以下では説明を省略する。
【００２４】
水洗便器１は、ボウル３内に貯水されたオゾン水を流動させる流動手段４として、ボウル３に振動を与える振動部４２を備えている。
【００２５】
振動部４２は、ボウル３内に貯水されたオゾン水に振動を伝えて流動させることができればよく、具体的な形態、配設位置、配設数などは特に限定されない。また、この実施形態の水洗便器１においても、ボウル３内におけるオゾン水の貯水経過時間に応じてボウル３に振動を与えるタイミング（オゾン水を流動させるタイミング）、振動時間を制御する流動制御機構（図示していない）を備えていることが好ましい。
【００２６】
水洗便器１は、オゾン水を流動させる流動手段４としての振動部４２を備えているため、ボウル３内に貯水されたオゾン水に振動を伝えて流動させることができる。このため、オゾン水の殺菌効果の減衰が抑制され、カビや汚れが発生し難く、ボウル３内面の清浄性を長期間維持することができる。
【００２７】
図３は、本発明の水洗便器の第３実施形態を例示した縦断面概要図である。第１実施形態と共通する部分には同一の符号を付し、以下では説明を省略する。
【００２８】
水洗便器１は、ボウル３内に貯水されたオゾン水を流動させる流動手段４として、ボウル３内に貯水されたオゾン水の抜出しと再供給を可能とする循環流路４３を備えている。
【００２９】
循環流路４３は、ボウル３内に貯水されたオゾン水を抜出して、再度ボウル３内に再供給されるように循環させてオゾン水を流動させることができればよく、具体的な形態や配設位置などは特に限定されない。また、この実施形態の水洗便器１においても、ボウル３内におけるオゾン水の貯水経過時間に応じてオゾン水を抜出しおよび再供給するタイミング（オゾン水を流動させるタイミング）を制御する流動制御機構（図示していない）を備えていることが好ましい。
【００３０】
水洗便器１は、オゾン水を流動させる流動手段４としての循環流路４３を備えているため、ボウル３内に貯水されたオゾン水を一旦抜出して再びボウル３内に供給することができ、この抜出しと再供給によって、オゾン水を流動させることができる。このため、オゾン水の殺菌効果の減衰が抑制され、カビや汚れが発生し難く、ボウル３内面の清浄性を長期間維持することができる。
【００３１】
図４は、本発明の水洗便器の第４実施形態を例示した縦断面概要図である。第１実施形態と共通する部分には同一の符号を付し、以下では説明を省略する。
【００３２】
水洗便器１は、ボウル３内に貯水されたオゾン水を流動させる流動手段として、水洗便器１全体を前後または左右に揺動させる搖動機構（図示していない）を備えている。
【００３３】
搖動機構は、水洗便器１全体を前後または左右に揺らすことでボウル３内のオゾン水を流動させることができればよく、具体的な形態や配設位置などは特に限定されない。また、この実施形態の水洗便器１においても、ボウル３内におけるオゾン水の貯水経過時間に応じて水洗便器１を搖動させるタイミング（オゾン水を流動させるタイミング）、搖動時間を制御する流動制御機構（図示していない）を備えていることが好ましい。
【００３４】
水洗便器１は、オゾン水を流動させる流動手段としての搖動機構を備えているため、ボウル３内に貯水されたオゾン水を流動させることができる。このため、オゾン水の殺菌効果の減衰が抑制され、カビや汚れが発生し難く、ボウル３内面の清浄性を長期間維持することができる。
【００３５】
図５は、本発明の水洗便器の第５実施形態を例示した縦断面概要図である。第１実施形態と共通する部分には同一の符号を付し、以下では説明を省略する。
【００３６】
水洗便器１は、ボウル３内に貯水されたオゾン水を流動させる流動手段４として、オゾン水注入部４４を備えている。
【００３７】
オゾン水注入部４４は、オゾン水生成装置２と接続しており、ボウル３内に貯水されているオゾン水に対してさらにオゾン水を注入することで、ボウル３内のオゾン水を流動させることができればよく、具体的な形態や配設位置などは特に限定されない。また、この実施形態の水洗便器１においても、ボウル３内におけるオゾン水の貯水経過時間に応じてオゾン水を注入するタイミング（オゾン水を流動させるタイミング）、注入時間を制御する流動制御機構（図示していない）を備えていることが好ましい。
【００３８】
水洗便器１は、オゾン水を流動させる流動手段４としてのオゾン水注入部４４を備えているため、ボウル３内に貯水されたオゾン水に対してさらにオゾン水を注入することで、ボウル３内のオゾン水を流動させることができる。このため、オゾン水の殺菌効果の減衰が抑制され、カビや汚れが発生し難く、ボウル３内面の清浄性を長期間維持することができる。
【００３９】
以上のように、本発明の水洗便器１は、オゾン水生成装置２によって生成されたオゾン水をボウル３内に供給可能な水洗便器１であって、ボウル３内に貯水されたオゾン水を流動させる流動手段４を備える。このため、ボウル内面にカビや汚れが発生することが抑制され、清浄性を長期間維持することができる。
【００４０】
本発明の水洗便器は、以上の実施形態に限定されることはない。例えば、流動手段は、ボウル内に貯水されたオゾン水を流動させることができればよく、様々な形態のものを採用することができる。
【符号の説明】
【００４１】
１    水洗便器
２    オゾン水生成装置
３    ボウル
４    流動手段
４１  撹拌羽根
４２  振動部
４３  循環流路
【図１】
2015094110.tif 000003
【図２】
2015094110.tif 000004
【図３】
2015094110.tif 000005
【図４】
2015094110.tif 000006
【図５】
2015094110.tif 000007